(57)【要約】      （修正有）【課題】安価軽量で持ち運びし易くした書見台を提供する。【解決手段】底板１と、該底板１の外周縁から起立させた前板２、後板３及び両側板４，５とからなる紙製箱体Ｍを有し、前記後板３から延びる紙製天板Ｔが略中央の折れ目１３を支点にして山折り可能に形成され、前記両側板４，５の上端縁には所定間隔をおいて一対の切欠き溝９が複数形成されてなり、一対の切欠き溝９には前記山折りした天板Ｔの前端縁を嵌入させる。【選択図】図１
0003154578.tif 000002
【実用新案登録請求の範囲】
【請求項１】
底板と、該底板の外周縁から起立させた前板、後板及び両側板とからなる紙製箱体を有し、前記後板から延びる紙製天板が略中央の折れ目を支点にして山折り可能に形成され、前記両側板の上端縁には所定間隔をおいて一対の切欠き溝が複数形成されてなり、一対の切欠き溝には前記山折りした天板の前端縁を嵌入させてなる書見台。
【請求項２】
前記天板に貫設した挿通孔に紐状栞が移動可能に挿通されてなる請求項１に記載の書見台。
【請求項３】
前記天板を紙製箱体の上面に沿って直線状に延ばした状態で該天板の前端縁を前記前板に係脱可能に係止する面ファスナが設けられてなる請求項１または２に記載の書見台。
【請求項４】
前記紙製箱体内に、その紙製箱体内を仕切る仕切板が設けられてなる請求項１〜３のいずれかに記載の書見台。
【考案の詳細な説明】
【技術分野】
【０００１】
本考案は、書見台に関し、特に、安価軽量で持ち運びし易くしたものである。
【背景技術】
【０００２】
従来、書見台として木製または金属製のものがあり、これらは、比較的高価であって、重くて嵩張り持ち運びに不便なものが多い。
【０００３】
そこで、紙製の書見台が提案されており、その一例として特許文献１に記載したものがある。これは、再生段ボール紙など腰の強い紙を折り曲げて略三角形状に組み立てたものである。
【先行技術文献】
【特許文献】
【０００４】
【特許文献１】特開２００２−２０９６４１号公報
【考案の概要】
【考案が解決しようとする課題】
【０００５】
上記従来の構成では、紙製であるから、安価軽量であるという利点があるが、略三角形の特殊な形状に組み立てられていることから、嵩張って持ち運びに不便であり、使い勝手が悪い。
【０００６】
本考案は、上記従来の欠点に鑑み、安価軽量で持ち運びし易くした書見台を提供することを目的としている。
【課題を解決するための手段】
【０００７】
上記目的を達成するための構成を図面に基づいて説明すると、請求項１に記載の考案は、底板１と、該底板１の外周縁から起立させた前板２、後板３及び両側板４，５とからなる紙製箱体Ｍを有し、前記後板１から延びる紙製天板Ｔが略中央の折れ目１３を支点にして山折り可能に形成され、前記両側板４，５の上端縁には所定間隔をおいて一対の切欠き溝９が複数形成されてなり、一対の切欠き溝９には前記山折りした天板Ｔの前端縁を嵌入させてなる構成を採用するものである。
【０００８】
請求項２に記載の考案は、請求項１に記載の考案において、前記天板Ｔに貫設した挿通孔１５に紐状栞１６が移動可能に挿通されてなる構成を採用するものである。
【０００９】
請求項３に記載の考案は、請求項１または２に記載の考案において、前記天板Ｔを紙製箱体Ｍの上面に沿って直線状に延ばした状態で該天板Ｔの前端縁を前記前板２に係脱可能に係止する面ファスナ２０が設けられてなる構成を採用するものである。
【００１０】
請求項４に記載の考案は、請求項１〜３のいずれかに記載の考案において、前記紙製箱体Ｍ内に、その紙製箱体Ｍ内を仕切る仕切板２３が設けられてなる構成を採用するものである。
【考案の効果】
【００１１】
請求項１に記載の考案によれば、天板Ｔを山折りして該天板Ｔの前端縁を所定の切欠き溝９に嵌入させるだけで、書見台として組み立てることができ、その天板Ｔ上に書物Ｋを載置することにより、その書物Ｋを読みやすい傾斜角度で保持することができる。
【００１２】
また、箱体Ｍ及び天板Ｔが一枚の紙材からなり、安価に製作することができる。
【００１３】
更に、軽量で、書見台として使用しないときには天板Ｔを直線状に延ばして嵩張らないようにすることにより、持ち運びを容易に行なうことができ、使い勝手がよい。
【００１４】
請求項２に記載の考案によれば、読書を途中で止めるときには紐状栞１６を引っ張り出して書物Ｋ内に挟み込むことにより、どこまで読んだか容易に確認することができると共に、紐状栞１６を使わないときには箱体Ｍ内に引き込むことによりその紐状栞１６が邪魔にならないようにすることができる。
【００１５】
請求項３に記載の考案によれば、面ファスナ２０で天板Ｔの前端縁を前板２に係止することにより、箱体Ｍの開放上面が天板Ｔで塞がれ、該箱体Ｍ内に収納した小物が外に飛び出ることがないので、この書見台を小物入れとしても有効に利用できる。
【００１６】
請求項４に記載の考案によれば、仕切板２３で箱体Ｍ内を小さく仕切ることにより、その箱体Ｍ内に小物を効率よく整理した状態で収納することができる。
【図面の簡単な説明】
【００１７】
【図１】本考案の実施の一形態である書見台の斜視図である。
【図２】同縦断面図である。
【図３】図２のＡ−Ａ矢視図である。
【図４】（ａ）は図２のＢ−Ｂ矢視図、（ｂ）は同要部の斜視図である。
【図５】同天板を直線状に延ばした状態の斜視図である。
【図６】同縦断面図である。
【図７】同展開図である。
【図８】（ａ）〜（ｃ）は組み立て手順を示す概略斜視図である。
【考案を実施するための形態】
【００１８】
図１〜図７は本考案の実施の一形態である書見台を示すものであって、底板１と、該底板１の外周縁から起立させた前板２、後板３及び両側板４，５とからなる紙製箱体Ｍを有し、前記後板３から紙製天板Ｔが延びており、１枚の段ボールやボール紙などの紙材で形成されている。
【００１９】
図７に示すように、前記前板２、後板３及び両側板４，５は、底板１の外周縁に一体形成した外周板２ａ，３ａ，４ａ，５ａと、該外周板２ａ，３ａ，４ａ，５ａの外周縁に折れ目部２ｂ，３ｂ，４ｂ，５ｂを介して一体形成した内周板２ｃ，３ｃ，４ｃ，５ｃとにより形成されており、折れ目部２ｂ，３ｂ，４ｂ，５ｂを中心に内周板２ｃ，３ｃ，４ｃ，５ｃを折り曲げて外周板２ａ，３ａ，４ａ，５ａに重ねることにより、前板２、後板３及び両側板４，５が二枚重ね状態にされる。
【００２０】
図７に示すことにより、前記両側板４，５の外周板４ａ，５ａの両側縁に連結片６が一体形成され、互いに対向する左右一対の連結片６の先端どうしを連結するための連結溝７がその各連結片６の先端に形成されている。
【００２１】
図１〜図３に示すように、両側板４，５の上端縁に左右一対の切欠き溝９が前後方向に所定間隔をおいて複数（この実施の形態では２つずつ）形成されている。
【００２２】
図２及び図７に示すように、前記天板Ｔは、後板３の内周板３ｃに折れ目部１０を介して一体形成されてその内周板３ｃに重ねられる中間板１１の上端縁に一体形成されており、図６に示すように、天板Ｔの前後方向に沿う縦幅Ｈ１が箱体Ｍの前板２と後板３との間の間隔Ｈ２と同一またはわずかに小さく設定され、図１及び図２に示すように、略中央の折れ目１３を支点にして山折り可能に形成されている。ここで、略中央とは、図７に示すように、天板Ｔの前後方向に沿ってその中央に位置する中央線Ｏから前後方向に所定間隔ｎ（例えば５ｍｍ）の範囲を言う。
【００２３】
図３に示すように、天板Ｔの前端縁の横幅Ｌ１が箱体Ｍの横幅Ｌ２よりも大きく設定されており、山折りした天板Ｔの前端縁を前方（または後方）の一対の切欠き溝９に嵌入させる。
【００２４】
図１及び図２に示すように、天板Ｔの折れ目１３の近傍に貫設した挿通孔１５に紐状栞１６が移動可能に挿通され、該紐状栞１６の両端部に団子結びや飾り物でストッパ１７が形成されている。
【００２５】
図１に示すように、天板Ｔの前端縁中央に一体突設した略コ字状突起片１９と前板２の外周板２ａの上端縁近傍とに面ファスナ２０が固着されている。
【００２６】
図１及び図２に示すように、前板２の内周板２ｃから底板１に沿って延びる延長板２２の先端から二つ折り状態で起立して箱体Ｍ内を仕切る仕切板２３が設けられている。
【００２７】
組立手順を説明すると、図８（ａ）に示すように、両側板４，５を起立させ、互いに対向する左右一対の連結片６の連結溝７を互いに係合させて、その左右一対の連結片６どうしを連結する（図４参照）。
【００２８】
続いて、図８（ｂ）に示すように、両側板４，５の内周板４ｃ，５ｃを内側に折り曲げて、その両側板４，５を二つ折り状態にする（図３参照）。
【００２９】
その後、図８（ｃ）に示すように、前板２の内周板２ｃを内側に折り曲げ、前側連結片６を取り囲むようにしてその前板２を二つ折り状態にすると共に、仕切板２３を起立させ、後板３の内周板３ｃを内側に折り曲げ、後側連結片６を取り囲むようにしてその後板３を二つ折り状態にし、中間板１１を起こして後板３に当接させる（図２、図６参照）。
【００３０】
使用手順を説明すると、書見台を使用する場合には、図１〜図３に示すように、天板Ｔを山折りして前端縁を所定の切欠き溝９に嵌入させ、その天板Ｔの前側傾斜面Ｔａ上に書物Ｋを載置する。
【００３１】
上記構成によれば、天板Ｔを山折りして該天板Ｔの前端縁を所定の切欠き溝９に嵌入させるだけで、書見台として組み立てることができ、その天板Ｔ上に書物Ｋを載置することにより、その書物Ｋを読みやすい傾斜角度で保持することができる。
【００３２】
また、箱体Ｍ及び天板Ｔが一枚の紙材からなり、安価に製作することができる。
【００３３】
更に、軽量で、書見台として使用しないときには天板Ｔを直線状に延ばして嵩張らないようにすることにより（図５及び図６参照）、持ち運びを容易に行なうことができ、使い勝手がよい。
【００３４】
しかも、読書を途中で止めるときには紐状栞１６を引っ張り出して書物Ｋ内に挟み込むことにより、どこまで読んだか容易に確認することができると共に、紐状栞１６を使わないときには箱体Ｍ内に引き込むことによりその紐状栞１６が邪魔にならないようにすることができる。
【００３５】
書見台として使用しない場合には、図５及び図６に示すように、天板Ｔを箱体Ｍの上面に沿って直線状に延ばし、面ファスナ２０により天板Ｔの前端縁を前板２に係止する。
【００３６】
上記構成によれば、箱体Ｍの開放上面が天板Ｔで塞がれ、該箱体Ｍ内に収納した小物が外に飛び出ることがないので、この書見台を小物入れとしても有効に利用できる。
【００３７】
また、仕切板２３で箱体Ｍ内を小さく仕切ることにより、その箱体Ｍ内に小物を効率よく整理した状態で収納することができる。
【符号の説明】
【００３８】
Ｍ        箱体
Ｔ        天板
１        底板
２        前板
３        後板
４，５    側板
９        切欠き溝
１３      折れ目
１５      挿通孔
１６      紐状栞
２０      面ファスナ
２３      仕切板
【図１】
0003154578.tif 000003
【図２】
0003154578.tif 000004
【図３】
0003154578.tif 000005
【図４】
0003154578.tif 000006
【図５】
0003154578.tif 000007
【図６】
0003154578.tif 000008
【図７】
0003154578.tif 000009
【図８】
0003154578.tif 000010